(57)【要約】【課題】防水部材の損傷による防水性の低下を防止することができるコネクタを提供する。【解決手段】環状の被嵌合部３を有する第１ハウジング５と、被嵌合部３の内周側に嵌合される嵌合部７を有する第２ハウジング９と、被嵌合部３と嵌合部７との径方向間に配置され第１ハウジング５と第２ハウジング９との間を防水する防水部材１１とを備えたコネクタ１において、防水部材１１の内周面に、嵌合部７側に向けてリップ部１３を周方向に連続して突設し、防水部材１１の外周面を、被嵌合部３の内周面に密着して配置し、第２ハウジング９の嵌合部７の外周面に、リップ部１３が密着して配置される溝部１５を周方向に連続して設けた。【選択図】図４
2016009605.tif 000002
【特許請求の範囲】
【請求項１】
環状の被嵌合部を有する第１ハウジングと、前記被嵌合部の内周側に嵌合される嵌合部を有する第２ハウジングと、前記被嵌合部と前記嵌合部との径方向間に配置され前記第１ハウジングと前記第２ハウジングとの間を防水する防水部材とを備えたコネクタであって、
前記防水部材は、内周面に前記嵌合部側に向けてリップ部が周方向に連続して突設され、外周面が前記被嵌合部の内周面に密着して配置され、前記第２ハウジングは、前記嵌合部の外周面に前記リップ部が密着して配置される溝部が周方向に連続して設けられていることを特徴とするコネクタ。
【請求項２】
請求項１記載のコネクタであって、
前記リップ部と前記溝部とは、前記被嵌合部と前記嵌合部との嵌合方向に複数設けられていることを特徴とするコネクタ。
【発明の詳細な説明】
【技術分野】
【０００１】
本発明は、コネクタに関する。
【背景技術】
【０００２】
従来、コネクタとしては、環状の被嵌合部としての主周壁を有する第１ハウジングと、主周壁の内周側に嵌合される嵌合部としてのブロック部を有する第２ハウジングと、主周壁とブロック部との径方向間に配置され第１ハウジングと第２ハウジングとの間を防水する防水部材としてのシール部材とを備えたものが知られている（例えば、特許文献１参照）。
【０００３】
このコネクタでは、ブロック部の外周にシール部材が設けられ、シール部材が主周壁の内面に密着されている。このシール部材により、主周壁とブロック部との間を防水してコネクタ内部への水の侵入を防止している。
【先行技術文献】
【特許文献】
【０００４】
【特許文献１】特開２０１２−１７８２４６号公報
【発明の概要】
【発明が解決しようとする課題】
【０００５】
しかしながら、上記特許文献１のようなコネクタでは、防水部材が嵌合部の外周に設けられているので、被嵌合部と嵌合部とが嵌合していない状態で、防水部材がむき出しとなり、組付作業などにおいて外部部材などとの干渉によって防水部材に損傷が発生する恐れがあった。このような防水部材の損傷の発生は、防水性の低下を引き起こしてしまう。
【０００６】
そこで、この発明は、防水部材の損傷による防水性の低下を防止することができるコネクタの提供を目的としている。
【課題を解決するための手段】
【０００７】
請求項１記載の発明は、環状の被嵌合部を有する第１ハウジングと、前記被嵌合部の内周側に嵌合される嵌合部を有する第２ハウジングと、前記被嵌合部と前記嵌合部との径方向間に配置され前記第１ハウジングと前記第２ハウジングとの間を防水する防水部材とを備えたコネクタであって、前記防水部材は、内周面に前記嵌合部側に向けてリップ部が周方向に連続して突設され、外周面が前記被嵌合部の内周面に密着して配置され、前記第２ハウジングは、前記嵌合部の外周面に前記リップ部が密着して配置される溝部が周方向に連続して設けられていることを特徴とする。
【０００８】
このコネクタでは、防水部材の内周面に嵌合部側に向けてリップ部が周方向に連続して突設され、防水部材の外周面が被嵌合部の内周面に密着して配置されているので、被嵌合部と嵌合部とが嵌合していない状態で、防水部材のリップ部が被嵌合部の内部で外部部材などとの干渉から保護され、組付作業などにおける防水部材の損傷を防止することができる。
【０００９】
また、第２ハウジングは、嵌合部の外周面に防水部材のリップ部が密着して配置される溝部が周方向に連続して設けられているので、被嵌合部と嵌合部とが嵌合していない状態で、組付作業などにおいて外部部材などとの干渉によって溝部の表面が損傷されたとしても、溝部の内部の損傷を防止することができ、リップ部と溝部との密着性を確保して防水性の低下を防止することができる。
【００１０】
従って、このようなコネクタでは、組付作業などにおける外部部材と防水部材との干渉を防止することができ、防水部材の損傷による防水性の低下を防止することができる。
【００１１】
請求項２記載の発明は、請求項１記載のコネクタであって、前記リップ部と前記溝部とは、前記被嵌合部と前記嵌合部との嵌合方向に複数設けられていることを特徴とする。
【００１２】
このコネクタでは、リップ部と溝部とが被嵌合部と嵌合部との嵌合方向に複数設けられているので、リップ部と溝部との密着部が嵌合方向に複数配列されることになり、防水部材と嵌合部との間を複雑なラビリンス形状とすることができ、防水性を向上することができる。
【発明の効果】
【００１３】
本発明によれば、防水部材の損傷による防水性の低下を防止することができるコネクタを提供することができるという効果を奏する。
【図面の簡単な説明】
【００１４】
【図１】本発明の実施の形態に係るコネクタの分解斜視図である。
【図２】本発明の実施の形態に係るコネクタの第１ハウジングの断面図である。
【図３】本発明の実施の形態に係るコネクタの第２ハウジングの側面図である。
【図４】本発明の実施の形態に係るコネクタの断面図である。
【発明を実施するための形態】
【００１５】
図１〜図４を用いて本発明の実施の形態に係るコネクタについて説明する。
【００１６】
本実施の形態に係るコネクタ１は、環状の被嵌合部３を有する第１ハウジング５と、被嵌合部３の内周側に嵌合される嵌合部７を有する第２ハウジング９と、被嵌合部３と嵌合部７との径方向間に配置され第１ハウジング５と第２ハウジング９との間を防水する防水部材１１とを備えている。
【００１７】
そして、防水部材１１は、内周面に嵌合部７側に向けてリップ部１３が周方向に連続して突設され、外周面が被嵌合部３の内周面に密着して配置され、第２ハウジング９は、嵌合部７の外周面にリップ部１３が密着して配置される溝部１５が周方向に連続して設けられている。
【００１８】
また、リップ部１３と溝部１５とは、被嵌合部３と嵌合部７との嵌合方向に複数設けられている。
【００１９】
図１、図２、図４に示すように、第１ハウジング５は、合成樹脂などの絶縁性材料からなり、一側面側に第２ハウジング９の嵌合部７が内周側に嵌合される楕円形状の被嵌合部３が設けられ、他側面側に複数の端子２３が挿入される端子挿入部１７が設けられている。
【００２０】
この第１ハウジング５の端子挿入部１７の開口側には、複数の端子２３を挿入可能な複数の孔が設けられ、第１ハウジング５と複数の端子２３とに密着して第１ハウジング５と複数の端子２３との間を防水するマットシール１９が配置される。
【００２１】
このマットシール１９は、第１ハウジング５の端子挿入部１７に配置された後、複数の端子２３を挿入可能な複数の孔が設けられ、第１ハウジング５の端子挿入部１７の開口に組付けられるマットシールカバー２１によって第１ハウジング５からの抜け止めがなされる。
【００２２】
このようなマットシール１９やマットシールカバー２１によって端子挿入部１７側が防水された第１ハウジング５には、端子挿入部１７側の開口からマットシール１９及びマットシールカバー２１の複数の孔を介して複数の端子２３が挿入され、内部に設けられた端子収容室２５内に複数の端子２３が収容配置される。
【００２３】
複数の端子２３は、導電性材料からなり、棒状の接続部２７を有する雄型端子となっている。また、複数の端子２３は、それぞれ電源や機器などに接続された電線２９の端末部に圧着などによって電気的に接続されている。
【００２４】
この複数の端子２３は、接続部２７側が第１ハウジング５の端子挿入部１７の開口から挿入され、接続部２７が被嵌合部３側に位置するように第１ハウジング５内の端子収容室２５に収容される。このとき、端子２３の接続部２７には、端子収容室２５内に撓み可能に設けられた係止ランス３１が係止され、第１ハウジング５からの抜け止めがなされる。
【００２５】
このような複数の端子２３は、第１ハウジング５の高さ方向に上段と下段とに上下対称に収容されると共に、第１ハウジング５の幅方向に並列に複数配列されて収容される。
【００２６】
また、端子２３は、棒状の接続部２７がマットシール１９やマットシールカバー２１の孔を挿通する際に、接点部３５がマットシール１９やマットシールカバー２１に干渉することがなく、マットシール１９やマットシールカバー２１の損傷を防止することができる。
【００２７】
第２ハウジング９は、合成樹脂などの絶縁性材料からなり、内部に端子収容室４０が上段と下段に複数形成され、楕円形状の嵌合部７の端面まで達している。この嵌合部７の複数の端子収容室４０には、複数の端子４２が収容されている。
【００２８】
複数の端子４２は、導電性材料からなり、箱状の接続部４３を有する雌型端子となっている。また、複数の端子４２は、それぞれ機器などに接続された電線４４の端末部に圧着などによって電気的に接続されている。
【００２９】
この複数の端子４２は、接続部４３側が第２ハウジング９の端子収容室４０の開口から挿入され、接続部４３が嵌合部７側に位置するように第２ハウジング９内の端子収容室４０に収容される。このとき、端子４２の接続部４３には、端子収容室４０内に撓み可能に設けられた係止ランス４１が係止され、第２ハウジング９からの抜け止めがなされる。
【００３０】
このような複数の端子４２は、第２ハウジング９の高さ方向に上段と下段とに上下対称に収容されると共に、第２ハウジング９の幅方向に並列に複数配列されて収容される。
【００３１】
この第２ハウジング９は、嵌合部７が第２ハウジング９の外周に設けられた一対のガイドリブ４５，４５と第１ハウジング５に設けられた一対のガイド溝４７，４７とを介して第１ハウジング５の被嵌合部３内に嵌合され、第１ハウジング５と第２ハウジング９とに設けられた係止部４９，５１を介して係止される。
【００３２】
このように第２ハウジング９の嵌合部７を第１ハウジング５の被嵌合部３内に嵌合させることにより、嵌合部７の端子収容室４０内の端子４２が第１ハウジング５の端子収容室２５内の端子２３と導通されるようになっている。
【００３３】
このようなコネクタ１において、第１ハウジング５の被嵌合部３と第２ハウジング９の嵌合部７との径方向間には、被嵌合部３と嵌合部７との間、すなわち第１ハウジング５と第２ハウジング９との間を防水する防水部材１１が配置されている。
【００３４】
防水部材１１は、合成ゴムなどの弾性材料からなり、楕円状に形成されている。また、防水部材１１の内周面には、嵌合部７側に向けて周方向に連続してリップ部１３が突設されている。このリップ部１３は、被嵌合部３と嵌合部７との嵌合方向に並列に複数列設けられている。
【００３５】
この防水部材１１は、第１ハウジング５と第２ハウジング９とが嵌合する前の状態で、第１ハウジング５の被嵌合部３内に収容配置される。この状態では、防水部材１１の外周面と被嵌合部３の内周面とが密着され、防水部材１１と第１ハウジング５との間が防水される。
【００３６】
このように第１ハウジング５と第２ハウジング９とが嵌合する前の状態で、防水部材１１を被嵌合部３内に収容配置させることにより、第１ハウジング５の搬送を伴うような組付作業などにおいて、防水部材１１が外部部材などと干渉することがなく、防水部材１１の損傷を防止することができる。このような防水部材１１のリップ部１３は、第２ハウジング９の嵌合部７に設けられた溝部１５に密着して配置される。
【００３７】
溝部１５は、嵌合部７の外周面に周方向に連続して設けられている。また、溝部１５は、防水部材１１のリップ部１３と同様に、被嵌合部３と嵌合部７との嵌合方向に並列に複数列設けられている。
【００３８】
この溝部１５は、第１ハウジング５と第２ハウジング９との嵌合が完了した状態で、防水部材１１のリップ部１３が内部に密着して配置される。この溝部１５とリップ部１３との密着により、防水部材１１と第２ハウジング９との間が防水され、第１ハウジング５と第２ハウジング９との間が防水される。
【００３９】
このように防水部材１１のリップ部１３が密着される嵌合部７の外周を溝部１５とすることにより、第１ハウジング５と第２ハウジング９とが嵌合する前の状態で、第２ハウジング９の搬送を伴うような組付作業などにおいて、嵌合部７の外周面である溝部１５の表面が外部部材と干渉しても、リップ部１３と密着する溝部１５の底部側が外部部材と干渉することがなく、溝部１５の底部側の損傷を防止でき、リップ部１３との密着による防水性を確保することができる。
【００４０】
加えて、リップ部１３と溝部１５とを被嵌合部３と嵌合部７との嵌合方向に並列に複数列設けることにより、水などが第１ハウジング５内に侵入する侵入経路を複雑なラビリンス形状とすることができ、防水性を向上することができる。
【００４１】
このようなコネクタ１では、防水部材１１の内周面に嵌合部７側に向けてリップ部１３が周方向に連続して突設され、防水部材１１の外周面が被嵌合部３の内周面に密着して配置されているので、被嵌合部３と嵌合部７とが嵌合していない状態で、防水部材１１のリップ部１３が被嵌合部３の内部で外部部材などとの干渉から保護され、組付作業などにおける防水部材１１の損傷を防止することができる。また、組付作業の工程において、防水部材１１への傷の配慮をする必要が無くなるため、管理項目を削減することができ、その分、低コスト化を図ることができる。
【００４２】
また、第２ハウジング９は、嵌合部７の外周面に防水部材１１のリップ部１３が密着して配置される溝部１５が周方向に連続して設けられているので、被嵌合部３と嵌合部７とが嵌合していない状態で、組付作業などにおいて外部部材などとの干渉によって溝部１５の表面が損傷されたとしても、溝部１５の内部の損傷を防止することができ、リップ部１３と溝部１５との密着性を確保して防水性の低下を防止することができる。
【００４３】
従って、このようなコネクタ１では、組付作業などにおける外部部材と防水部材１１との干渉を防止することができ、防水部材１１の損傷による防水性の低下を防止することができる。
【００４４】
また、リップ部１３と溝部１５とは、被嵌合部３と嵌合部７との嵌合方向に複数設けられているので、リップ部１３と溝部１５との密着部が嵌合方向に複数配列されることになり、防水部材１１と嵌合部７との間を複雑なラビリンス形状とすることができ、防水性を向上することができる。
【００４５】
なお、本発明の実施の形態に係るコネクタでは、防水部材の外周面が平面状に形成され、被嵌合部の内周面に密着して配置されているが、これに限らず、防水部材の外周面にリップ部を突設させ、被嵌合部の内周面にリップ部が密着して配置される溝部を設けてもよい。
【符号の説明】
【００４６】
１…コネクタ
３…被嵌合部
５…第１ハウジング
７…嵌合部
９…第２ハウジング
１１…防水部材
１３…リップ部
１５…溝部
【図１】
2016009605.tif 000003
【図２】
2016009605.tif 000004
【図３】
2016009605.tif 000005
【図４】
2016009605.tif 000006